(57)【要約】【課題】  使用者が通常の姿勢で立ったまま簡単に靴を履いたり、脱いだりすることができ、また外出時にもそのままステッキとして使用できる携行型靴脱着補助具付きステッキを提供する。【解決手段】  この携行型靴脱着補助具付きステッキ１０はステッキ状棒部材１の先端部近傍部位に、横方向に突出する靴踵当て板部材２が固着され、ステッキ状棒部材の先端部から靴踵当て板部材の下面までの距離は靴底外面から靴のほぼ踵上縁８ａまでの距離に設定されている。【選択図】  図１
0003209329.tif 000002
【実用新案登録請求の範囲】
【請求項１】
ステッキ状棒部材の先端部近傍部位に、横方向に突出する靴踵当て板部材が固着され、前記ステッキ状棒部材の先端部から前記靴踵当て板部材の下面までの距離は靴底外面から靴のほぼ踵上縁までの距離に設定されていることを特徴とする携行型靴脱着補助具付きステッキ。
【請求項２】
前記ステッキ状棒部材の先端部近傍部位でかつ前記靴踵当て板部材の固着位置と異なる位置に、かつ前記ステッキ状棒部材の側部に対して所定の間隙を有して靴べら部材が固着されていることを特徴とする請求項１に記載した携行型靴脱着補助具付きステッキ。
【請求項３】
前記ステッキ状棒部材の先端に、該棒部材の軸線に対して左右および（または）前後に傾動自在な石突部を有することを特徴とする請求項１または２に記載した携行型靴脱着補助具付きステッキ。
【考案の詳細な説明】
【技術分野】
【０００１】
本考案は靴を脱いだり、履いたりするのを容易にするための靴脱着補助具付きステッキに関する。本考案は特に、ステッキを兼ねた形態に構成された携行型靴脱着補助具付きステッキに関する。
【背景技術】
【０００２】
靴を履くときに使用される補助具として、従来から靴べらと称するものが存在し、靴の踵内側と人の踵足との間の隙間にへら状の部材を挿入し、靴を履く際に踵足が靴内に滑り込みやすくしている。この靴べらにもポケットに入るような小さな携行式のものと、長い柄状部材の先端に靴べらを形成し、立ち姿勢で使用できるようにした玄関など屋内設置用のものとがある。
【０００３】
履いている靴を脱ぐ場合は、靴の踵後部を手でつかんで押し下げるようにして脱ぐのが普通であるが、靴を脱ぐときの専用の補助具のようなものはなく、人によっては靴を履くときに使用した靴べらを靴の踵内に挿入して履いている靴を押し下げることで靴を脱ぐのに使用したりしている。
【０００４】
特許文献１〜４に示すものは、いずれも靴を履くときに使用する靴べらをステッキの先端部に装着したものであるが、靴を脱ぐときの専用の補助具については言及されていない。
【先行技術文献】
【特許文献】
【０００５】
【特許文献１】実用新案登録第３１８３０７２号公報
【特許文献２】特開２００１−２９９４１９号公報
【特許文献３】特開２００１−２８６３８３号公報
【特許文献４】実用新案登録第３１０４３６６号公報
【考案の概要】
【考案が解決しようとする課題】
【０００６】
靴を脱ぐ場合、一方の足の靴先で他方の足の靴の踵部分を押さえ付けて靴を脱いだり、身体をかがんで手先で靴の踵部を押し下げたりして脱ぐことが行われているが、身体をかがんで中腰姿勢で靴を脱ぐのは中〜高年者にとって苦痛となる。特に外出先の玄関フロアで座る椅子がないような場合は靴を脱ぐのに時間がかかったり、バランスを崩して転んだりする。また、靴ひもをほどいて靴を脱ぐような場合も、座る場所がないと、どうしても中腰姿勢にかがむことになり、腰を傷めたりする。特許文献１〜４に示すものは靴べらに関する構成であり、この構造のものを靴を脱ぐ場合に使用するには不都合が生じる。
【０００７】
本考案は、使用者が通常の姿勢で立ったまま簡単に靴を履いたり、脱いだりすることができ、また外出時にもそのままステッキとして使用できる携行型靴脱着補助具付きステッキを提供することを目的とする。
【課題を解決するための手段】
【０００８】
本考案に係る携行型靴脱着補助具付きステッキは、ステッキ状棒部材の先端部近傍部位に、横方向に突出する靴踵当て板部材が固着され、前記ステッキ状棒部材の先端部から前記靴踵当て板部材の下面までの距離は靴底外面から靴のほぼ踵上縁までの距離に設定されていることを特徴とする。
【０００９】
本考案の１つの形態によれば、前記靴踵当て板部材の固着に加えて、さらに、前記ステッキ状棒部材の先端部近傍部位でかつ前記靴踵当て板部材の固着位置と異なる位置に、かつ前記ステッキ状棒部材の側部に対して所定の間隙を有して靴べら部材が固着された携行型靴脱着補助具付きステッキが提供される。
【００１０】
本考案の他の形態によれば、前記ステッキ状棒部材の先端に、該棒部材の軸線に対して左右および（または）前後に傾動自在な石突部を有する携行型靴脱着補助具付きステッキが提供される。
【考案の効果】
【００１１】
本考案によれば、靴を脱ぐときに腰をかがめたり、座ったりすることなく、通常の立ち姿勢で靴脱ぎを行うことができ、また、この携行型靴脱着補助具付きステッキは外出時にステッキとしても使用できる。
【００１２】
また、本考案の請求項２に係る携行型靴脱着補助具付きステッキによれば、外出先で靴を脱ぐ場合だけでなく、脱いだ靴を再び履く際にも立ったままの姿勢で簡単かつ迅速に靴を履くことができる。
【図面の簡単な説明】
【００１３】
【図１】本考案の実施例１に係る携行型靴脱着補助具付きステッキの側面図である。
【図２】本考案の実施例１の変形例に係る携行型靴脱着補助具付きステッキにおけるステッキ状棒部材と石突部との連結部分を示す図であって、同図（ａ）はその部分的な側面図、同図（ｂ）はその部分的な正面図である。
【図３】本考案の実施例２における携行型靴脱着補助具付きステッキを用いて靴を履くときの状態を示した側面図である。
【考案を実施するための形態】
【００１４】
次に、本考案を、図面を参照しつつ、実施例について説明する。なお、以下の実施例では通常の男性用靴を例にとって説明するが、女性用の靴、運動靴その他一般の靴にも適用できる。
（実施例１）
図１を参照すれば、実施例１に係る携行型靴脱着補助具付きステッキ１０は外出時にステッキとして使用されるような長さのステッキ状棒部材１を有しており、このステッキ状棒部材１の先端部近傍部位の側部に、ステッキ状棒部材１に対して横方向に突出する踵当て板部材２が固着されている。この踵当て板部材２は、図示実施例１では前記棒部材１の側部にビス止めなどの手段で固着される取付座３と、取付座３の外面に直角に延びた当て板部材５とで構成されている。当て板部材５の突出長さは、ステッキ状棒部材１を靴６の踵８の後部に近接して地面７上に垂直に立てたとき、当て板部材５の先端下面が靴６の踵８の上縁８ａに接当する程度の長さで、かつステッキとして持ち歩くときに邪魔にならないように出来るだけ短い突出長さとするのがよい。また、ステッキ状棒部材１の先端から当て板部材５の下面までの距離Ｈは、ステッキ状棒部材１を地面７上に立てた状態で地面上の靴６の踵８の上縁８ａが当て板部材５の下面に接当することとなるような寸法にするのが望ましいが、必ずしもこの寸法に限定されるものではなく、この近辺の概略寸法に設定されてよい。
【００１５】
実施例１の変形例として、図２（ａ），（ｂ）に示すように、ステッキ状棒部材１の下端に装着される石突部１３がステッキ状棒部材１に対して回動できるように構成されている。コ字状に形成された石突部１３の底部１３ａが地面７に接当し、コ字状の両腕部１３ｂに軸体１５が装着されている。軸体１５はステッキ状棒部材１の下端部に形成された貫通孔１６に遊挿されており、これによってステッキ状棒部材１は図２（ａ）の矢視Ｆ方向からみた同図（ｂ）の正面図で示すように軸体１５のまわりに所定範囲で傾動し得るようになっている。この結果、使用者がステッキ状棒部材１を地面７に対して多少傾いて地面に押し付けても、石突部１３の底部全面が地面７に密着して接当することとなり、靴脱着補助具付きステッキの下端に無理な力が作用せず、円滑な動作が確保される。
【００１６】
図２（ａ），（ｂ）に示す例は、地面に接触した石突部に対しステッキ状棒部材が正面視左右方向に傾動する構造であるが、他の例としてステッキ状棒部材が該棒部材の軸線まわりに回転し、かつ前後、左右およびすべてのまわりに傾動し得る構造とすることも可能である。石突部の上面を凹状の球面座とした臼蓋ソケット形態に構成し、前記ステッキ状棒部材の下端に前記球面座に回動自在に嵌合する球状部材を固着した構成とすることで実現できる。前記石突部の球面座と前記棒部材の下端球状部材との離脱不能な嵌合を可能とするために、前記石突部を中心で２分割構造とし、嵌合後に前記石突部の半体どおしを連結固着する構造とする。
【００１７】
（実施例２）
実施例１で述べた踵当て板部材２に加えて、本考案の実施例２ではさらに、ステッキ状棒部材１の先端部近傍部位で、かつ前記踵当て板部材２の取付け位置と反対側の棒部材側部に、該棒部材１に対して所定の間隙を有して靴べら部材９が取り付けられている。具体的には、この実施例２では、図３に示すように、ステッキ状棒部材１の側部にＬ形の間座部材１１が取付座１２を介して取り付けられ、このＬ形間座部材１１に下向きに延びる靴べら部材９が固着されている。ステッキ状棒部材１を靴６の踵８の後部に近接して下降させ、靴べら部材９を靴６の踵８の後部内面に挿入し、使用者の踵足の外面を靴べら部材９に沿わせるようにして下降させることにより、靴６の踵上縁８ａを傷めることなくスムーズに靴６を履くことができる。なお、靴べら部材９を取り付けるＬ形間座部材１１は靴べら部材９とステッキ状棒部材１との間に間隙をつくるためのものであり、この点で必ずしもＬ形の部材でなくても或る厚みをもつ板部材あるいはブロック状部材であってもよい。なお、この実施例２においても、図２で説明したような回動自在な石突部１３をステッキ状棒部材１の下端に連結した構成としてもよい。
【符号の説明】
【００１８】
１  ステッキ状棒部材
２  踵当て板部材
３，１２  取付座
５  当て板部材
８  踵
８ａ  踵上縁
９  靴べら部材
１０  携行型靴脱着補助具付きステッキ
１３  石突部
１５  軸体
【図１】
0003209329.tif 000003
【図２】
0003209329.tif 000004
【図３】
0003209329.tif 000005